【手続補正書】
【提出日】平成23年5月24日(2011.5.24)
【手続補正１】
【補正対象書類名】特許請求の範囲
【補正対象項目名】全文
【補正方法】変更
【補正の内容】
【特許請求の範囲】
【請求項１】
筐体を軽打するタップ操作における、該筐体上のタップ操作箇所、及び上記タップ操作回数を検出するタップ操作検出部と、
複数のアプリケーションプログラムが記憶された記憶部と、
上記筐体上の上記タップ操作箇所及び上記タップ操作回数と、起動するアプリケーションプログラムとが関連付けされて記憶された起動アプリケーションテーブルと、
上記タップ操作検出部で検出された上記タップ操作箇所及び上記タップ操作回数に基づいて上記起動アプリケーションテーブルを参照することで、該タップ操作箇所及び該タップ操作回数に対応するアプリケーションプログラムを検出し、この検出したアプリケーションプログラムを上記記憶部から読み出して起動する制御部と
を有する情報処理装置。
【請求項２】
時刻をカウントして時刻情報を出力する計時部と、
上記記憶部に記憶されている各アプリケーションプログラムに対応する操作を行うための操作部とを有し、
上記制御部は、上記計時部からの上記時刻情報に基づいて、上記アプリケーションプログラムを起動してから所定の時間が経過したか否かを監視すると共に、この所定の時間が経過するまでの間に、上記タップ操作検出部により検出される上記筐体のタップ操作、及び上記操作部の操作のうち、いずれの操作も検出されない場合に、上記起動したアプリケーションプログラムを終了制御する
請求項１に記載の情報処理装置。
【請求項３】
複数のアプリケーションプログラムが記憶された記憶部と、
上記記憶部に記憶されている各アプリケーションプログラムのうち、指定されたアプリケーションプログラムを起動するアプリケーション起動部と、
上記アプリケーション起動部により起動されたアプリケーションプログラムの起動中において、筐体を軽打するタップ操作の、少なくともタップ操作回数を検出するタップ操作検出部と、
上記各アプリケーションプログラムの各情報処理と、少なくとも上記タップ操作検出部で検出される上記タップ操作回数とが関連付けされて記憶された対応情報処理テーブルと、
上記アプリケーションプログラムの起動中に、上記タップ操作検出部で上記タップ操作回数が検出された際に、上記対応情報処理テーブルを参照することで、上記起動中のアプリケーションにおける、上記タップ操作回数に対応する情報処理を検出し、この検出した情報処理を実行する制御部と
を有する情報処理装置。
【請求項４】
音声電話、及び／又は、テレビ電話を実行可能とする第１の通信部と、
上記第１の通信部を介して上記音声電話、及び／又は、テレビ電話の着信があった際に、所定の着信通知を行う電話着信通知部とを有し、
上記記憶部に記憶されたアプリケーションプログラムとして、上記第１の通信部を介して上記音声電話、及び／又は、上記テレビ電話の通信を制御するためのコミュニケーションプログラムを備え、
上記対応情報処理テーブルには、上記コミュニケーションプログラムの起動中における上記着信通知の停止処理と、上記タップ操作検出部で検出される上記タップ操作回数とが関連付けされて記憶されており、
上記制御部は、上記第１の通信部を介して上記音声電話、及び／又は、テレビ電話の着信があった際に、上記コミュニケーションプログラムを起動し、上記所定の着信通知を行うように上記電話着信通知部を着信通知制御すると共に、この着信通知制御中に、上記タップ操作検出部でタップ操作が検出された際に上記対応情報処理テーブルを参照し、該タップ操作検出部で検出されたタップ操作回数が、上記対応情報処理テーブルに記憶されている上記着信通知の停止処理に対応するタップ操作回数であった場合に、上記着信通知を停止するように上記電話着信通知部を制御する
請求項３に記載の情報処理装置。
【請求項５】
メールアドレスを宛先とするメール通信、及び／又は、電話番号を宛先とするメール通信を実行可能とする第２の通信部と、
上記第２の通信部を介して上記いずれかのメール着信があった際に、所定の着信通知を行うメール着信通知部とを有し、
上記記憶部に記憶されたアプリケーションプログラムとして、上記第２の通信部を介して上記メール通信を制御するためのメール管理プログラムを備え、
上記対応情報処理テーブルには、上記メール管理プログラムの起動中における上記着信通知の停止処理と、上記タップ操作検出部で検出される上記タップ操作回数とが関連付けされて記憶されており、
上記制御部は、上記第２の通信部を介して上記メール着信があった際に、上記メール管理プログラムを起動し、上記所定の着信通知を行うように上記メール着信通知部を着信通知制御すると共に、この着信通知制御中に、上記タップ操作検出部でタップ操作が検出された際に上記対応情報処理テーブルを参照し、該タップ操作検出部で検出されたタップ操作回数が、上記対応情報処理テーブルに記憶されている上記着信通知の停止処理に対応するタップ操作回数であった場合に、上記着信通知を停止するように上記メール着信通知部を制御する
請求項３又は請求項４に記載の情報処理装置。
【請求項６】
上記筐体の傾け操作及び回転操作を検出する傾け／回転操作検出部を有し、
対応情報処理テーブルには、上記各アプリケーションプログラムの各情報処理と、上記傾け／回転操作検出部で検出される上記傾け操作及び回転操作とが関連付けされて記憶されており、
上記制御部は、上記傾け／回転操作検出部で上記傾け操作或いは上記回転操作が検出された際に、上記対応情報処理テーブルを参照することで、上記起動中のアプリケーションにおける、上記傾け操作或いは上記回転操作に対応する情報処理を検出し、この検出した情報処理を実行する
請求項３から請求項５のうち、いずれか一項に記載の情報処理装置。
【請求項７】
上記制御部は、上記アプリケーションプログラムの起動中に、上記タップ操作検出部により所定のタップ操作回数のタップ操作が検出された場合、上記タップ操作回数、或いは上記傾け操作及び上記回転操作に基づく情報処理を停止し、この情報処理の停止中に、上記タップ操作検出部により所定のタップ操作回数のタップ操作が検出された場合、上記タップ操作回数、或いは上記傾け操作及び上記回転操作に基づく情報処理を再開する
請求項３から請求項６のうち、いずれか一項に記載の情報処理装置。
【請求項８】
タップ操作検出部が、筐体を軽打するタップ操作における、該筐体上のタップ操作箇所、及び上記タップ操作回数を検出するステップと、
制御部が、上記ステップで検出された上記タップ操作箇所及び上記タップ操作回数に基づいて、上記筐体上の上記タップ操作箇所及び上記タップ操作回数と、起動するアプリケーションプログラムとが関連付けされて記憶された起動アプリケーションテーブルを参照することで、記憶部に記憶されている複数のアプリケーションプログラムのうち、上記タップ操作箇所及び上記タップ操作回数に対応するアプリケーションプログラムを検出するステップと、
制御部が、上記ステップで検出したアプリケーションプログラムを上記記憶部から読み出して起動するステップと
を有する情報処理方法。
【請求項９】
アプリケーション起動部が、記憶部に記憶されている複数のアプリケーションプログラムのうち、指定されたアプリケーションプログラムを起動するステップと、
上記ステップで起動されたアプリケーションプログラムの起動中において、タップ操作検出部が、筐体を軽打するタップ操作の、少なくともタップ操作回数を検出するステップと、
上記アプリケーションプログラムの起動中に、上記ステップで上記タップ操作回数が検出された際に、制御部が、各アプリケーションプログラムの各情報処理と、少なくとも上記タップ操作回数とが関連付けされて記憶された対応情報処理テーブルを参照することで、上記起動中のアプリケーションにおける、上記タップ操作回数に対応する情報処理を検出するステップと、
制御部が、上記ステップで検出した情報処理を実行するステップと
を有する情報処理方法。
【請求項１０】
筐体を軽打するタップ操作における、該筐体上のタップ操作箇所、及び上記タップ操作回数を検出するようにタップ操作検出部を制御するタップ操作検出制御部としてコンピュータを機能させ、
コンピュータを上記タップ操作検出制御部として機能させることで検出された上記タップ操作箇所及び上記タップ操作回数に基づいて、上記筐体上の上記タップ操作箇所及び上記タップ操作回数と、起動するアプリケーションプログラムとが関連付けされて記憶された起動アプリケーションテーブルを参照し、記憶部に記憶されている複数のアプリケーションプログラムのうち、上記タップ操作箇所及び上記タップ操作回数に対応するアプリケーションプログラムを検出する対応アプリケーション検出部としてコンピュータを機能させ、
コンピュータを上記対応アプリケーション検出部として機能させることで検出されたアプリケーションプログラムを上記記憶部から読み出して起動する制御部としてコンピュータを機能させる
情報処理プログラム。
【請求項１１】
記憶部に記憶されている複数のアプリケーションプログラムのうち、指定されたアプリケーションプログラムを起動するアプリケーション起動部としてコンピュータを機能させ、
コンピュータを上記アプリケーション起動部として機能させることで起動されたアプリケーションプログラムの起動中において、筐体を軽打するタップ操作の、少なくともタップ操作回数を検出するようにタップ操作検出部を制御するタップ操作検出制御部としてコンピュータを機能させ、
上記アプリケーションプログラムの起動中に、コンピュータを上記タップ操作検出制御部として機能させることで上記タップ操作回数が検出された際に、各アプリケーションプログラムの各情報処理と、少なくとも上記タップ操作回数とが関連付けされて記憶された対応情報処理テーブルを参照することで、上記起動中のアプリケーションにおける、上記タップ操作回数に対応する情報処理を検出する対応アプリケーション検出部としてコンピュータを機能させ、
コンピュータを上記対応アプリケーション検出部として機能させることで検出されたアプリケーションプログラムを上記記憶部から読み出して起動する制御部としてコンピュータを機能させる
情報処理プログラム。
【請求項１２】
筐体を軽打するタップ操作における、該筐体上のタップ操作箇所、及び上記タップ操作回数を検出するタップ操作検出部と、
複数のアプリケーションプログラムが記憶された記憶部と、
上記筐体上の上記タップ操作箇所及び上記タップ操作回数と、起動するアプリケーションプログラムとが関連付けされて記憶された起動アプリケーションテーブルと、
上記タップ操作検出部で検出された上記タップ操作箇所及び上記タップ操作回数に基づいて上記起動アプリケーションテーブルを参照することで、該タップ操作箇所及び該タップ操作回数に対応するアプリケーションプログラムを検出し、この検出したアプリケーションプログラムを上記記憶部から読み出して起動する制御部と
を有する携帯端末装置。
【請求項１３】
複数のアプリケーションプログラムが記憶された記憶部と、
上記記憶部に記憶されている各アプリケーションプログラムのうち、指定されたアプリケーションプログラムを起動するアプリケーション起動部と、
上記アプリケーション起動部により起動されたアプリケーションプログラムの起動中において、筐体を軽打するタップ操作の、少なくともタップ操作回数を検出するタップ操作検出部と、
上記各アプリケーションプログラムの各情報処理と、少なくとも上記タップ操作検出部で検出される上記タップ操作回数とが関連付けされて記憶された対応情報処理テーブルと、
上記アプリケーションプログラムの起動中に、上記タップ操作検出部で上記タップ操作回数が検出された際に、上記対応情報処理テーブルを参照することで、上記起動中のアプリケーションにおける、上記タップ操作回数に対応する情報処理を検出し、この検出した情報処理を実行する制御部と
を有する携帯端末装置。
【手続補正２】
【補正対象書類名】明細書
【補正対象項目名】００５７
【補正方法】変更
【補正の内容】
【００５７】
また、Ｗｅｂブラウジングプログラムに基づくＷｅｂページの表示中に筐体を上に傾ける上傾け操作を検出した場合、制御部２３は、図７の対応情報処理テーブル２１に示すように、表示画面を表示部５の上方向にスクロール表示し、筐体を下に傾ける下傾け操作を検出した場合、制御部２３は、表示画面を表示部５の下方向にスクロール表示し、筐体を左に傾ける左傾け操作を検出した場合、制御部２３は、表示画面を表示部５の左方向にスクロール表示し、筐体を右に傾ける右傾け操作を検出した場合、制御部２３は、表示画面を表示部５の右方向にスクロール表示する。
【手続補正３】
【補正対象書類名】明細書
【補正対象項目名】００７８
【補正方法】変更
【補正の内容】
【００７８】
このため、制御部２３は、ステップＳ５５において、筐体がその姿勢となってから一定時間経過の経過を検出しない場合は（＝筐体の静止状態を検出しない場合）、処理をステップＳ５１に戻し、上述のＬＥＤ７の点灯制御を繰り返し実行し、筐体がその姿勢となってから一定時間経過したことを検出すると、処理をステップＳ５６に進め、全てのＬＥＤ７を消灯制御して、この図９のフローチャートに示す処理を終了する。